(57)【要約】      （修正有）【課題】映像監視システムで、各モニタ側で異なるデータ復号化方式に影響を受けることなく容易にシステム構築することが可能な既設親和性の高いエンコーダ装置を提供する。【解決手段】４種類の符号化方式に対応した各エンコーダ１４、１５、１６、１７を有する。映像伝送用符号化方式設定部１２ａにおいて、監視カメラ２０から受信される映像データの入力方式がＨＤ−ＳＤＩである場合は、伝送モード１又は伝送モード２の３方式同時符号化方式を選択設定し、ＳＤ−ＳＤＩ又はＮＴＳＣである場合は、伝送モード３の３方式同時符号化方式を選択設定する。さらに、Ｈ．２６４．ＨＤ／ＳＤとＭＰＥＧ２とＪＰＥＧの３種類の符号化方式で同時に符号化（圧縮）した映像データを、各モニタそれぞれのデコーダ装置に伝送する。【選択図】図２
2018056948.tif 000002
【特許請求の範囲】
【請求項１】
入力された映像データに対して、それぞれ異なる種類の符号化方式で映像データを符号化する複数の映像符号化手段と、
前記複数の映像符号化手段による異なる種類の符号化方式のうち何れか複数種類の符号化方式の組合せを伝送用符号化方式として設定する伝送用符号化方式設定手段と、
前記伝送用符号化方式設定手段により設定された複数種類の符号化方式の組合せに対応した複数の前記映像符号化手段により前記入力された映像データを符号化して出力させる符号化出力制御手段と、
を備えたエンコーダ装置。
【請求項２】
前記映像データの符号化方式は、ＨＤ−ＳＤＩ方式、ＳＤ−ＳＤＩ方式、ＮＴＳＣ方式の何れかで、前記異なる種類の符号化方式は、Ｈ．２６４ＨＤ方式とＨ．２６４ＳＤ方式とＭＰＥＧ２方式とＪＰＥＧ方式であり、
前記伝送用符号化方式設定手段は、前記Ｈ．２６４ＨＤ方式とＨ．２６４ＳＤ方式とＭＰＥＧ２方式とＪＰＥＧ方式のうち何れか３種類の符号化方式の組合せを伝送用符号化方式として設定する、請求項１に記載のエンコーダ装置。
【請求項３】
映像データを記録する映像記録手段と、
前記複数の映像符号化手段による異なる種類の符号化方式のうち何れか複数種類の符号化方式の組合せを記録用符号化方式として設定する記録用符号化方式設定手段と、
前記記録用符号化方式設定手段により設定された複数種類の符号化方式の組合せに対応した複数の前記映像符号化手段により前記入力された映像データを符号化して前記映像記録手段により記録させる符号化記録制御手段と、
を更に備えた請求項１又は請求項２に記載のエンコーダ装置。
【請求項４】
前記記録用符号化方式設定手段は、前記Ｈ．２６４ＨＤ方式とＨ．２６４ＳＤ方式とＭＰＥＧ２方式とＪＰＥＧ方式のうち何れか２種類の符号化方式の組合せを記録用符号化方式として設定する、請求項３に記載のエンコーダ装置。
【請求項５】
前記映像データの入力は、映像監視システムの監視カメラにより撮影された監視映像の映像データを符号化の対象となる映像データとして入力する、請求項１乃至請求項４の何れか１項に記載のエンコーダ装置。
【請求項６】
入力された映像データを所定の符号化方式で符号化するエンコーダ装置のエンコード方法であって、
入力された映像データに対して、それぞれ異なる種類の符号化方式のうち何れか複数種類の符号化方式の組合せを伝送用符号化方式として設定し、
前記設定された複数種類の符号化方式の組合せに対応した複数の符号化方式で前記入力された映像データを符号化して出力させる、
ようにしたエンコード方法。
【請求項７】
前記映像データの符号化方式は、ＨＤ−ＳＤＩ方式、ＳＤ−ＳＤＩ方式、ＮＴＳＣ方式の何れかで、前記異なる種類の符号化方式は、Ｈ．２６４ＨＤ方式とＨ．２６４ＳＤ方式とＭＰＥＧ２方式とＪＰＥＧ方式であり、
前記伝送用符号化方式の設定は、前記Ｈ．２６４ＨＤ方式とＨ．２６４ＳＤ方式とＭＰＥＧ２方式とＪＰＥＧ方式のうち何れか３種類の符号化方式の組合せを伝送用符号化方式として設定する、請求項６に記載のエンコード方法。
【請求項８】
前記エンコーダ装置は、映像データを記録する映像記録手段を備え、
前記異なる種類の符号化方式のうち何れか複数種類の符号化方式の組合せを記録用符号化方式として設定し、
前記記録用符号化方式として設定された複数種類の符号化方式の組合せに対応した複数の符号化方式で前記入力された映像データを符号化して前記映像記録手段により記録させる、
ようにした請求項６又は請求項７に記載のエンコード方法。
【請求項９】
前記記録用符号化方式の設定は、前記Ｈ．２６４ＨＤ方式とＨ．２６４ＳＤ方式とＭＰＥＧ２方式のうち何れか２種類の符号化方式の組合せを記録用符号化方式として設定する、請求項８に記載のエンコード方法。
【請求項１０】
前記映像データの入力は、映像監視システムの監視カメラにより撮影された監視映像の映像データを符号化の対象となる映像データとして入力する、請求項６乃至請求項９の何れか１項に記載のエンコード方法。
【発明の詳細な説明】
【技術分野】
【０００１】
本発明の実施形態は、例えば映像監視システムにおいて撮影された映像データの符号化に使用されるエンコーダ装置およびエンコード方法に関する。
【背景技術】
【０００２】
例えば、災害監視用の映像監視システムとしては、ダムや河川の流域に複数の監視カメラを設置し、当該複数の監視カメラにより撮影されている各監視映像を、その流域を管理する地方整備局等のモニタ（画像表示装置）に表示させて監視するものがある。
【０００３】
このような映像監視システムでは、監視カメラにより撮影された監視映像を、広域イーサネット（登録商標）等のＩＰベースのネットワークを介してモニタ側に伝送しているが、映像信号は情報量が大きくそのまま扱うことは困難である。このため、前記監視カメラにより得られた監視映像の映像データは、エンコーダ装置により予め設定されたデータ符号化方式に従い符号化（圧縮）して伝送し、前記モニタ側のデコーダ装置（ＩＰチューナ）にてその符号化（圧縮）された映像データを復号化（伸長）してモニタに表示させている。
【０００４】
この際、デコーダ装置では、エンコーダ装置でのデータ符号化方式に対応するデータ復号化方式で、符号化（圧縮）された映像データを復号化（伸長）する必要がある。現在、データ符号化（圧縮）方式は、データ圧縮率の高い順に、［ＶＰ９］［Ｈ．２６４］［ＭＰＥＧ−４］［−２］［−１］［ＪＰＥＧ（静止映像）］等が存在し、技術革新と共に高圧縮率で高画質な符号化方式が開発されている。
【０００５】
また、前記モニタは、例えば、監視カメラが設置された監視エリアを管轄する監視施設、複数の監視エリアを統轄する監視施設、更に広域の監視エリアを統轄する監視施設にある。このため、当該各監視施設においてそれぞれデコーダ装置を設置し監視映像をモニタに表示させる必要がある。
【先行技術文献】
【特許文献】
【０００６】
【特許文献１】特開２００７−０８８７７１号公報
【特許文献２】特開２０１２−２２７６０２号公報
【特許文献３】特開２０１０−０６８１８９号公報
【発明の概要】
【発明が解決しようとする課題】
【０００７】
前記映像監視システムの複数の監視施設にそれぞれ設置されているデコーダ装置は、各監視施設の個別の管理事情等から、新旧のデコーダ装置、つまりデータ復号化方式の異なるデコーダ装置が混在する状況となっている。
【０００８】
このような状況において、監視カメラにより撮影された監視映像の映像データを前記各監視施設のモニタに表示させるには、当該各監視施設にある各デコーダ装置の混在するデータ復号化方式に影響を受けることになる。例えば、前記監視映像の映像データをデータ符号化方式の異なる複数台のエンコーダ装置を使用してデータ圧縮し、各対応する監視施設のデコーダ装置に伝送しなければならないなど、システム構築の障害となっている。
【０００９】
本発明が解決しようとする課題は、映像監視システム等において、各モニタ側での異なるデータ復号化方式に影響を受けることなく、容易にシステム構築することが可能になる既設親和性の高いエンコーダ装置およびエンコード方法を提供することである。
【課題を解決するための手段】
【００１０】
実施形態のエンコーダ装置は、入力された映像データに対して、それぞれ異なる種類の符号化方式で映像データを符号化する複数の映像符号化手段と、前記複数の映像符号化手段による異なる種類の符号化方式のうち何れか複数種類の符号化方式の組合せを伝送用符号化方式として設定する伝送用符号化方式設定手段と、前記伝送用符号化方式設定手段により設定された複数種類の符号化方式の組合せに対応した複数の前記映像符号化手段により前記入力された映像データを符号化して出力させる符号化出力制御手段と、を備えている。
【図面の簡単な説明】
【００１１】
【図１】実施形態のエンコーダ装置１０（１０Ａ〜１０Ｃ）を備えた映像監視システムの全体構成を示す概略図。
【図２】前記エンコーダ装置１０の機能構成を示すブロック図。
【図３】前記エンコーダ装置１０の映像伝送用符号化方式設定部１２ａにより映像データの入力方式に応じて選択的に設定可能な３種類の３方式同時符号化方式の組合せパターンを示す図。
【図４】前記エンコーダ装置１０の映像記録用符号化方式設定部１２ｂにより映像データの入力方式に応じて選択的に設定可能な３種類の２方式同時符号化方式の組合せパターンを示す図。
【発明を実施するための形態】
【００１２】
以下、実施形態のエンコーダ装置およびエンコード方法を、図面を参照して説明する。
【００１３】
図１は、実施形態のエンコーダ装置１０（１０Ａ〜１０Ｃ）を備えた映像監視システムの全体構成を示す概略図である。
【００１４】
この映像監視システムは、複数台（例えば３台）の監視カメラ２０Ａ，２０Ｂ，２０Ｃ、各監視カメラ２０Ａ，２０Ｂ，２０Ｃに接続されたエンコーダ装置１０Ａ，１０Ｂ，１０Ｃ、複数の監視施設（例えば３ヶ所）にそれぞれ設置されたデコーダ装置３０Ａ，３０Ｂ，パソコンＰＣ、各デコーダ装置３０Ａ，３０Ｂに接続されたモニタ（画像表示装置）４０Ａ，４０Ｂを備えている。なお、前記パソコンＰＣは、デコーダ装置とモニタを兼ねる。
【００１５】
前記監視カメラ側の各エンコーダ装置１０Ａ，１０Ｂ，１０Ｃとモニタ側の各デコーダ装置３０Ａ，３０Ｂ，ＰＣとは、例えば当該映像監視システムの設置者専用の広域ネットワークＮＷを介して通信接続される。
【００１６】
前記各監視カメラ２０Ａ〜２０Ｃは、例えばダムや河川の流域の監視対象となる場所に設置され、その場所の周辺の映像を撮影し、撮影した映像（監視映像）の映像データを各対応するエンコーダ装置１０Ａ〜１０Ｃへ出力する。各監視カメラ２０Ａ〜２０Ｃの解像度（画質）は、ＨＤ(High Definition video:高精細度ビデオ)とＳＤ(Standard Definition video:標準画質ビデオ)が混在する。本実施形態では、監視カメラ２０ＡはＨＤカメラであり、撮影された映像データ（監視映像１）はＨＤ−ＳＤＩ(Serial Digital Interface)方式で出力される。監視カメラ２０Ｂ，２０ＣはＳＤカメラであり、撮影された映像データ（監視映像２，３）はＮＴＳＣ(National Television System Committee)方式で出力される。
【００１７】
各エンコーダ装置１０Ａ〜１０Ｃは、各対応する監視カメラ２０Ａ〜２０Ｃから入力した監視映像１，２，３の映像データを、前記モニタ側の各デコーダ装置３０Ａ，３０Ｂ，ＰＣそれぞれの複合化方式に合せた複数の符号化（圧縮）方式（例えば３種類の符号化方式）により同時に圧縮し、各符号化方式で圧縮した映像データのパケットを、前記広域ネットワークＮＷを介し、前記各デコーダ装置３０Ａ，３０Ｂ，ＰＣに対してマルチキャストで送信する。
【００１８】
各デコーダ装置３０Ａ，３０Ｂ，ＰＣは、例えば前記各監視カメラ２０Ａ〜２０Ｃが設置された監視エリアを管轄する複数の監視施設にそれぞれ設置され、前記各エンコーダ装置１０Ａ〜１０Ｃから複数の符号化方式で符号化（圧縮）されてマルチキャストで伝送された映像データ（監視映像１〜３）のパケットを、当該各デコーダ装置３０Ａ，３０Ｂ，ＰＣ自身の復号化方式に対応させて選択的に受信し、当該受信した映像データ（監視映像１〜３）を復号化する。復号化した監視映像１〜３の映像データは、各対応するモニタ４０Ａ，４０Ｂ，ＰＣの表示部に分割画面にして表示させる。
【００１９】
本実施形態において、デコーダ装置３０Ａの復号化方式は［Ｈ．２６４  ＳＤ］（ハードデコーダ）、デコーダ装置３０Ｂの復号化方式は［ＭＰＥＧ２］（ハードデコーダ）、パソコン（デコード装置）ＰＣの復号化方式は［ＪＰＥＧ（静止映像（間欠））］（ソフトデコーダ）である。よって、各エンコーダ装置１０Ａ〜１０Ｃから複数の符号化方式で符号化（圧縮）されて伝送されてくる監視映像１〜３の映像データ（パケット）のうち、前記デコーダ装置３０Ａは、その復号化方式［Ｈ．２６４  ＳＤ］に対応して符号化（圧縮）されている各監視映像１〜３の映像データ（パケット）を選択して受信し、前記デコーダ装置３０Ｂは、その復号化方式［ＭＰＥＧ２］に対応して符号化（圧縮）されている各監視映像１〜３の映像データ（パケット）を選択して受信し、前記デコーダ装置ＰＣは、その復号化方式［ＪＰＥＧ］に対応して符号化（圧縮）されている各監視映像１〜３の映像データ（パケット）を選択して受信する。
【００２０】
前記各エンコーダ装置１０Ａ〜１０Ｃは、前述したように、各対応する監視カメラ２０Ａ〜２０Ｃから入力した監視映像１，２，３の映像データを、複数の符号化（圧縮）方式で同時に圧縮してマルチキャストで送信する機能を有する。本実施形態では、前記各エンコーダ装置１０Ａ〜１０Ｃともに４種類の符号化方式［Ｈ．２６４  ＨＤ］［Ｈ．２６４  ＳＤ］［ＭＰＥＧ２］［ＪＰＥＧ］に対応する符号化機能を内蔵し、後述する映像データの入力方式に応じて予め組み合わせが設定される３通りの３方式同時符号化方式（トリプルエンコーダ方式）（図３参照）のうち、何れかの３方式同時符号化方式がユーザにより選択設定されて３種類の符号化方式で同時に符号化する。
【００２１】
前記エンコーダ２０Ａは、監視映像１の映像データ（ＨＤ−ＳＤＩ）を３種類の符号化方式［Ｈ．２６４  ＨＤ］［ＭＰＥＧ２］［ＪＰＥＧ］で同時に符号化して送信し、前記エンコーダ２０Ｂ，２０Ｃは、各対応する監視映像２，３の映像データ（ＮＴＳＣ）を３種類の符号化方式［Ｈ．２６４  ＳＤ］［ＭＰＥＧ２］［ＪＰＥＧ］で同時に符号化して送信する。
【００２２】
また、前記各エンコーダ装置１０Ａ〜１０Ｃは、各対応する監視カメラ２０Ａ〜２０Ｃからの監視映像の映像データを、複数の符号化方式で同時に符号化（圧縮）してメモリカード等の持ち運び可能な記録媒体に記録する機能を有する。ここでは、後述する映像データの入力方式に応じて予め組み合わせが設定される３通りの２方式同時符号化方式（図４参照）のうち、何れかの２方式同時符号化方式がユーザにより選択設定されて２種類の符号化方式で同時に符号化する。この記録媒体に記録された監視映像の映像データは、災害発生等に起因してカメラ側とモニタ側との通信接続が遮断された場合に、当該記録媒体を持ち出してそこに記録されている通信遮断前後の監視映像を確認することなどに利用される。
【００２３】
図２は、前記エンコーダ装置１０の機能構成を示すブロック図である。
【００２４】
同図では、監視カメラ２０Ａにより撮影された監視映像１の映像データ（ＨＤ−ＳＤＩ）を符号化（圧縮）処理するエンコーダ装置１０Ａをあげている。
【００２５】
エンコーダ装置１０Ａは、コンピュータである制御部（ＣＰＵ）１１を備えている。
【００２６】
ＣＰＵ１１は、プログラムメモリ１２に予め記憶されたエンコーダ制御プログラムに従い当該エンコーダ装置１０Ａの各部の動作を制御して以下に詳述する各種の機能を実行する。
【００２７】
前記ＣＰＵ１１には、システムバス（制御信号／データ）Ｂｕｓを介して、前記プログラムメモリ１２のほか、映像伝送用符号化方式設定部１２ａ、映像記録用符号化方式設定部１２ｂ、映像受信部１３、４種類の符号化方式に対応した［Ｈ．２６４  ＨＤ］エンコーダ１４およびＩＰソケット１４ａ、［Ｈ．２６４  ＳＤ］エンコーダ１５およびＩＰソケット１５ａ、［ＭＰＥＧ２］エンコーダ１６およびＩＰソケット１６ａ、［ＪＰＥＧ］エンコーダ１７およびＩＰソケット１７ａ、記録媒体書込み部１８、通信インターフェイス１９、カメラ制御部ＣＣが、それぞれ機能的あるいは電気的に接続される。
【００２８】
前記映像受信部１３は、３つの映像入力端子＜ＨＤ／ＳＤ−ＳＤＩ＞＜ＮＴＳＣ＞＜ＨＤＭＩ（登録商標）(High Definition Multimedia Interface)＞を備え、ＨＤ−ＳＤＩ（又はＳＤ−ＳＤＩ）方式の映像データを出力する監視カメラ２０Ａの映像出力は＜ＨＤ／ＳＤ−ＳＤＩ＞端子に接続され、ＮＴＳＣ方式の映像データを出力する監視カメラ２０Ｂ，２０Ｃの映像出力は＜ＮＴＳＣ＞端子に接続される。また、＜ＨＤＭＩ＞端子には、必要に応じてパソコンＰＣ等が接続され、高精細度の映像・音声データが入力される。
【００２９】
前記４種類の符号化方式［Ｈ．２６４  ＨＤ］［Ｈ．２６４  ＳＤ］［ＭＰＥＧ２］［ＪＰＥＧ］の各エンコーダ１４〜１７は、何れも電子回路により構成されたハードエンコーダからなる。当該各エンコーダ１４〜１７にて符号化（圧縮）された映像データは、各対応するＩＰソケット１４ａ〜１７ａに出力され、このＩＰソケット１４ａ〜１７ａにおいて、その符号化方式の種類やデータ伝送先のＩＰアドレスをヘッダに記述したデータ列としてパケット化され、通信インターフェイス１９を介して広域ネットワークＮＷに送信される。
【００３０】
ここで、前記映像受信部１３にて受信した映像データを、前記モニタ側への伝送のために、前記４種類の符号化方式のうちで何れの３種類の符号化方式によって同時に符号化するのかについての設定は、前記映像伝送用符号化方式設定部１２ａにより行われる。
【００３１】
また、前記映像受信部１３にて受信した映像データを、前記記録媒体書込み部１８により持ち運び可能な記録媒体ＲＭに記録して保存するために、前記４種類の符号化方式のうちで何れの２種類の符号化方式によって同時に符号化するのかについての設定は、前記映像記録用符号化方式設定部１２ｂにより行われる。
【００３２】
図３は、前記エンコーダ装置１０の映像伝送用符号化方式設定部１２ａにより映像データの入力方式に応じて選択的に設定可能な３種類の３方式同時符号化方式の組合せパターンを示す図である。
【００３３】
前記映像受信部１３にて受信される監視カメラ２０からの映像データの入力方式がＨＤ−ＳＤＩの場合は、［Ｈ．２６４  ＨＤ］［Ｈ．２６４  ＳＤ］［ＪＰＥＧ］又は［Ｈ．２６４  ＨＤ］［ＭＰＥＧ２］［ＪＰＥＧ］の２通りの３方式同時符号化方式の組合せパターン（伝送モード１又は伝送モード２）の設定が可能である。また、映像データの入力方式がＳＤ−ＳＤＩ又はＮＴＳＣの場合は、［Ｈ．２６４  ＳＤ］［ＭＰＥＧ２］［ＪＰＥＧ］の３方式同時符号化方式の組合せパターン（伝送モード３）の設定が可能である。
【００３４】
従って、映像データの入力方式がＨＤ−ＳＤＩ（監視カメラ２０Ａ）の場合であって、前記モニタ側の各デコーダ装置３０Ａ，３０Ｂ，ＰＣそれぞれの映像データの復号化方式が［Ｈ．２６４  ＳＤ］［ＭＰＥＧ２］［ＪＰＥＧ］であるエンコーダ装置１０Ａの場合は、その映像伝送用符号化方式設定部１２ａに（伝送モード２：［Ｈ．２６４  ＨＤ］［ＭＰＥＧ２］［ＪＰＥＧ］）の３方式同時符号化方式を選択して設定する。
【００３５】
これにより、エンコーダ装置１０ＡのＣＰＵ１１は、その映像伝送用符号化方式設定部１２ａに設定された（伝送モード２：［Ｈ．２６４  ＨＤ］［ＭＰＥＧ２］［ＪＰＥＧ］）の３方式同時符号化方式に従い、前記映像受信部１３により受信された監視カメラ２０Ａからの映像データ（ＳＤ−ＳＤＩ）を、前記［Ｈ．２６４  ＨＤ］エンコーダ１４と［ＭＰＥＧ２］エンコーダ１６と［ＪＰＥＧ］エンコーダ１７に並行して入力させることで、何れのデコーダ装置３０Ａ，３０Ｂ，ＰＣにも対応可能な符号化方式で符号化（圧縮）した映像データを伝送することができる。
【００３６】
また、映像データの入力方式がＮＴＳＣ（監視カメラ２０Ｂ，２０Ｃ）の場合であるエンコーダ装置１０Ｂ，１０Ｃ場合は、その映像伝送用符号化方式設定部１２ａに（伝送モード３：［Ｈ．２６４  ＳＤ］［ＭＰＥＧ２］［ＪＰＥＧ］）の３方式同時符号化方式を選択して設定する。
【００３７】
これにより、エンコーダ装置１０Ｂ，１０ＣのＣＰＵ１１は、その映像伝送用符号化方式設定部１２ａに設定された（伝送モード３：［Ｈ．２６４  ＳＤ］［ＭＰＥＧ２］［ＪＰＥＧ］）の３方式同時符号化方式に従い、前記映像受信部１３により受信された監視カメラ２０Ｂ，２０Ｃからの映像データ（ＮＴＳＣ）を、前記［Ｈ．２６４  ＳＤ］エンコーダ１５と［ＭＰＥＧ２］エンコーダ１６と［ＪＰＥＧ］エンコーダ１７に並行して入力させることで、何れのデコーダ装置３０Ａ，３０Ｂ，ＰＣにも対応可能な符号化方式で符号化（圧縮）した映像データを伝送することができる。
【００３８】
前記モニタ側の各デコーダ装置３０Ａ［Ｈ．２６４  ＳＤ］，３０Ｂ［ＭＰＥＧ２］，ＰＣ［ＪＰＥＧ］では、前記各エンコーダ装置１０Ａ，１０Ｂ，１０Ｃから３方式同時符号化方式で符号化（圧縮）されて伝送されてくる各監視カメラ２０Ａ，２０Ｂ，２０Ｃによる監視映像１，２，３の映像データを、その受信パケットに記述された符号化方式の種類が自装置の復号化方式に対応しているものだけを選択して受信する。
【００３９】
これにより、各デコーダ装置３０Ａ［Ｈ．２６４  ＳＤ］，３０Ｂ［ＭＰＥＧ２］，ＰＣ［ＪＰＥＧ］の何れでも、各監視カメラ１０Ａ，１０Ｂ，１０Ｃにより撮影された監視映像１，２，３の映像データを、自装置の復号化方式で復号化して各対応するモニタ４０Ａ，４０Ｂ，ＰＣに表示させることができる。
【００４０】
図４は、前記エンコーダ装置１０の映像記録用符号化方式設定部１２ｂにより映像データの入力方式に応じて選択的に設定可能な３種類の２方式同時符号化方式の組合せパターンを示す図である。
【００４１】
前記映像受信部１３にて受信される監視カメラ２０からの映像データの入力方式がＨＤ−ＳＤＩの場合は、［Ｈ．２６４  ＨＤ］［Ｈ．２６４  ＳＤ］又は［Ｈ．２６４  ＨＤ］［ＭＰＥＧ２］の２通りの２方式同時符号化方式の組合せパターン（記録モード１又は記録モード２）の設定が可能である。また、映像データの入力方式がＳＤ−ＳＤＩ又はＮＴＳＣの場合は、［Ｈ．２６４  ＳＤ］［ＭＰＥＧ２］の２方式同時符号化方式の組合せパターン（記録モード３）の設定が可能である。
【００４２】
従って、映像データの入力方式がＨＤ−ＳＤＩ（監視カメラ２０Ａ）の場合であって、前記記録媒体ＲＭに記録した監視映像１の映像データを表示させるためのデコーダ装置の復号化方式が［Ｈ．２６４  ＳＤ］や［ＭＰＥＧ２］であるエンコーダ装置１０Ａの場合は、その映像記録用符号化方式設定部１２ｂに（記録モード２：［Ｈ．２６４  ＨＤ］［ＭＰＥＧ２］）の２方式同時符号化方式を選択して設定する。
【００４３】
これにより、エンコーダ装置１０ＡのＣＰＵ１１は、その映像記録用符号化方式設定部１２ｂに設定された（記録モード２：［Ｈ．２６４  ＨＤ］［ＭＰＥＧ２］）の２方式同時符号化方式に従い、前記［Ｈ．２６４  ＨＤ］エンコーダ１４と［ＭＰＥＧ２］エンコーダ１６により符号化（圧縮）した監視映像１の映像データ（パケット）を、前記通信インターフェイス１９から抽出して記録媒体書込み部１８に転送することで、［Ｈ．２６４  ＳＤ］や［ＭＰＥＧ２］である何れのデコーダ装置にも対応可能な符号化方式で符号化（圧縮）した監視映像１の映像データを記録媒体ＲＭに記録して保存できる。
【００４４】
また、映像データの入力方式がＮＴＳＣ（監視カメラ２０Ａ，２０Ｂ）の場合であって、前記記録媒体ＲＭに記録した監視映像２，３の映像データを表示させるためのデコーダ装置の復号化方式が［Ｈ．２６４  ＳＤ］や［ＭＰＥＧ２］であるエンコーダ装置１０Ｂ，１０Ｃの場合は、その映像記録用符号化方式設定部１２ｂに（記録モード３：［Ｈ．２６４  ＳＤ］［ＭＰＥＧ２］）の２方式同時符号化方式を選択して設定する。
【００４５】
これにより、エンコーダ装置１０Ｂ，１０ＣのＣＰＵ１１は、その映像記録用符号化方式設定部１２ｂに設定された（記録モード３：［Ｈ．２６４  ＳＤ］［ＭＰＥＧ２］）の２方式同時符号化方式に従い、前記［Ｈ．２６４  ＳＤ］エンコーダ１５と［ＭＰＥＧ２］エンコーダ１６により符号化（圧縮）した監視映像２，３の映像データ（パケット）を、前記通信インターフェイス１９から抽出して記録媒体書込み部１８に転送することで、［Ｈ．２６４  ＳＤ］や［ＭＰＥＧ２］である何れのデコーダ装置にも対応可能な符号化方式で符号化（圧縮）した監視映像２，３の映像データを記録媒体ＲＭに記録して保存できる。
【００４６】
なお、前記各エンコーダ装置１０Ａ，１０Ｂ，１０Ｃの映像伝送用符号化方式設定部１２ａに対する伝送モード１，２，３の選択設定と映像記録用符号化方式設定部１２ｂに対する記録モード１，２，３の選択設定は、例えば監視施設に設置されたパソコンＰＣから前記広域ネットワークＮＷを経由し当該各エンコーダ装置１０Ａ，１０Ｂ，１０ＣのＩＰアドレスを指定してアクセスすることで行う。
【００４７】
前記カメラ制御部ＣＣは、例えば監視施設に設置されたパソコンＰＣからのアクセスに応じて、各対応する監視カメラ２０Ａ，２０Ｂ，２０Ｃの撮影方向制御等の遠隔制御を行なう。
【００４８】
したがって、前記構成のエンコーダ装置１０によれば、４種類の符号化方式に対応した［Ｈ．２６４  ＨＤ］エンコーダ１４，［Ｈ．２６４  ＳＤ］エンコーダ１５，［ＭＰＥＧ２］エンコーダ１６，［ＪＰＥＧ］エンコーダ１７を有し、映像伝送用符号化方式設定部１２ａにおいて、監視カメラ２０から受信される映像データの入力方式が（ＨＤ−ＳＤＩ）である場合は（伝送モード１：［Ｈ．２６４  ＨＤ］［Ｈ．２６４  ＳＤ］［ＪＰＥＧ］）又は（伝送モード２：［Ｈ．２６４  ＨＤ］［ＭＰＥＧ２］［ＪＰＥＧ］）の３方式同時符号化方式を選択設定し、映像データの入力方式が（ＳＤ−ＳＤＩ又はＮＴＳＣ）である場合は（伝送モード３：［Ｈ．２６４  ＳＤ］［ＭＰＥＧ２］［ＪＰＥＧ］）の３方式同時符号化方式を選択設定し、［Ｈ．２６４  ＨＤ／ＳＤ］と［ＭＰＥＧ２］と［ＪＰＥＧ］の３種類の符号化方式で同時に符号化（圧縮）した映像データを、各モニタそれぞれのデコーダ装置３０Ａ，３０Ｂ，３０Ｃに伝送する。
【００４９】
これにより、映像監視システム等において、各モニタそれぞれのデコーダ装置３０Ａ，３０Ｂ，３０Ｃのデータ復号化方式が［Ｈ．２６４  ＳＤ］と［ＭＰＥＧ２］と［ＪＰＥＧ］で異なっていても、当該異なるデータ復号化方式に影響を受けることなく、容易にシステム構築することが可能になる既設親和性の高いエンコーダ装置１０を提供できる。
【００５０】
また、前記構成のエンコーダ装置１０によれば、さらに、映像記録用符号化方式設定部１２ｂにおいて、監視カメラ２０から受信される映像データの入力方式が（ＨＤ−ＳＤＩ）である場合は（記録モード１：［Ｈ．２６４  ＨＤ］［Ｈ．２６４  ＳＤ］）又は（記録モード２：［Ｈ．２６４  ＨＤ］［ＭＰＥＧ２］）の２方式同時符号化方式を選択設定し、映像データの入力方式が（ＳＤ−ＳＤＩ又はＮＴＳＣ）である場合は（記録モード３：［Ｈ．２６４  ＳＤ］［ＭＰＥＧ２］）の２方式同時符号化方式を選択設定し、２種類の符号化方式で同時に符号化（圧縮）した映像データを、メモリカード等の記録媒体ＲＭに記録して保存する。
【００５１】
これにより、映像監視システム等において、例えば広域ネットワークＮＷが遮断したことにより、前記記録媒体ＲＭに保存されている映像データを表示させるためデコーダ装置のデータ復号化方式が［Ｈ．２６４  ＳＤ］や［ＭＰＥＧ２］で混在していても、当該異なるデータ復号化方式に影響を受けることなく、容易に前記ネットワークＮＷの遮断前後に記録された監視映像の映像データを再現して表示させることができる。
【００５２】
なお、前記実施形態のエンコーダ装置１０において、記録モード１，２，３の何れかを設定して監視映像の映像データを記録する媒体としては、メモリカード等の記録媒体ＲＭに限らず、ＨＤＤ(Hard Disc Drive)やＳＤＳ（Software Defined Storage）を利用する構成としてもよい。
【００５３】
また、前記実施形態では、符号化（復号化）方式の種類として、［Ｈ．２６４  ＨＤ／ＳＤ］［ＭＰＥＧ２］［ＪＰＥＧ］が存在する場合をあげて説明したが、これに限らず、更に高精細度な符号化（復号化）方式を含む構成としてもよい。
【００５４】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００５５】
１０（１０Ａ〜１０Ｃ）…エンコーダ装置、１１…ＣＰＵ（制御部）、
１２…プログラムメモリ、１２ａ…映像伝送用符号化方式設定部、
１２ｂ…映像記録用符号化方式設定部、１３…映像受信部、
１４…［Ｈ．２６４  ＨＤ］、１５…［Ｈ．２６４  ＳＤ］エンコーダ、
１６…［ＭＰＥＧ２］エンコーダ、１７…［ＪＰＥＧ］エンコーダ、
１４ａ〜１７ａ…ＩＰソケット、１８…記録媒体書込み部、ＲＭ…記録媒体、
１９…通信インターフェイス、ＣＣ…カメラ制御部、
２０（２０Ａ〜２０Ｃ）…監視カメラ、３０Ａ，３０Ｂ…デコーダ装置、
４０Ａ，４０Ｂ…モニタ、ＰＣ…パソコン（デコーダ装置／モニタ）、
ＮＷ…広域ネットワーク。
【図１】
2018056948.tif 000003
【図２】
2018056948.tif 000004
【図３】
2018056948.tif 000005
【図４】
2018056948.tif 000006